(57)【特許請求の範囲】
【請求項１】
排水口（２）及び昇降部材滑動部（３）を備えた排水器本体部（１）と、上記排水口（２）を開閉する弁体（４）と、ワイヤ部（５ａ）及び該ワイヤ部（５ａ）を進退自在な状態にて包囲した鞘管（５ｂ）から成るレリースワイヤ（５）と、該レリースワイヤ（５）の一方の端部に連結した、レリースワイヤ（５）のワイヤ部（５ａ）の進退を操作するスイッチ部（６）と、該レリースワイヤ（５）の他方の端部に連結され、排水器本体部（１）の昇降部材滑動部（３）内を上記レリースワイヤ（５）のワイヤ部（５ａ）に連動して自在に進退するとともに、上記弁体（４）に当接して該弁体（４）を昇降する昇降部材（７）と、から構成した排水器の遠隔操作装置において、昇降部材（７）の進退方向に伸縮する筒状部（８ａ）と、該筒状部（８ａ）の一方の端部に、周縁に沿って凸部を設けて成る第一密閉片（８ｂ）と、該筒状部（８ａ）の他方の端部に、周縁に沿って凸部を設けて成る第二密閉片（８ｃ）と、から構成した、防水性と柔軟性に優れた材質にて成る止水部材（８）を、第一密閉片（８ｂ）を上記昇降部材（７）に、第二密閉片（８ｃ）を上記排水器本体部（１）の昇降部材滑動部（３）に、昇降部材（７）の作動を妨害しない状態にてそれぞれ水密的に嵌着して構成した排水器の遠隔操作式弁開閉装置。
【請求項２】
上記止水部材（８）の筒状部（８ａ）を蛇腹状にて構成した請求項１に記載の排水器の遠隔操作式弁開閉装置。
【発明の詳細な説明】
【０００１】
【発明の属する技術分野】
本発明は洗面ボウル、流し台のシンク等に用いられる排水器の遠隔操作式弁開閉装置の改良に関するものである。
【０００２】
【従来の技術】
従来、家庭用の洗面ボウル、流し台のシンク等に用いられる排水器として、図５に示した排水器のように、排水器の弁体を遠隔操作によって開閉できる排水器が知られている。
【０００３】
この図５に示した遠隔操作式弁開閉装置を採用した排水器は、排水口及び枝管を備えた排水器本体部と、該排水口を開閉する、上下に昇降する弁体と、ワイヤ部及び該ワイヤ部を進退自在な状態にて包囲した鞘管から成るレリースワイヤと、該レリースワイヤの一方の端部に連結した、レリースワイヤのワイヤ部の進退を操作するスイッチ部と、更にワイヤ部の他方の端部に連結され、枝管内をレリースワイヤのワイヤ部に連動して自在に進退すると共に、上記弁体に当接して該弁体を昇降させる先端部を備えた昇降部材と、上記枝管内面に当接する、該昇降部材の周縁に備えられたＯ形状のパッキング（以下、「Ｏリング」と呼ぶ）と、から構成されて成る。この図５に示した遠隔操作式弁開閉装置を採用した排水器においては、スイッチ部を操作してレリースワイヤのワイヤ部を進退させると、該ワイヤ部に連動して動作する昇降部材の先端部が、これに当接する弁体を昇降させるので、遠隔操作的に排水口を開閉することができる。
【０００４】
【発明が解決しようとする課題】
ところが図５に示した排水器に採用されている遠隔操作式弁開閉装置には、その構造から、遠隔操作式弁開閉装置を採用していない排水器には無かった、次に記したような新たな問題が生じる。
【０００５】
図５に示した排水器には、その使用目的から、当然ながら内部を排水が流れることとなる。これらの排水が排水器外に漏水する事は、無論、大変不都合であるが、上記のような、遠隔操作式弁開閉装置を採用した排水器においては、レリースワイヤを排水器本体外に延出するために、どうしても排水器本体の外壁にレリースワイヤの延出用の孔を設ける必要があり、この孔より漏水を生じる可能性がある。また、レリースワイヤのワイヤ部は、曲げのための柔軟性を確保するために、通常、細い鋼材を編み込んだものを用いているが、この細い鋼材は極めて錆びやすく、排水器内を流れる排水がワイヤ部に触れたりすると、ワイヤ部に錆を生じて劣化し、最悪の場合、ワイヤ部が断線する事がある。
【０００６】
このため、図５に記載の排水器に採用されている遠隔操作式弁開閉装置においては、上記昇降部材の周縁に止水用のＯリングを配置して枝管の内面に当接させ、Ｏリングの当接面より排水が移動するのを防ぎ、レリースワイヤの延出用の孔等より漏水を生じたり、あるいはワイヤ部が排水に触れたりするのを防止している。
【０００７】
ところが、通常、上記排水器本体部はあまり滑らかでない樹脂によって形成される。このため、上記のように昇降部材の周囲にＯリングを設けた場合、Ｏリングはあまり滑らかでない樹脂の面と当接することとなり、レリースワイヤのワイヤ部の進退がスムーズに働かないうえ、摩擦によってＯリングが容易に磨耗し、漏水を生じるという問題がある。この摩擦の問題を解決するために、Ｏリングにシリコーングリス等の潤滑材を塗布する方法もあるが、排水器の生産時に要する作業行程が増えるため、安価に商品を提供できなくなるうえ、ワイヤ部を何度も進退させるうちにこの潤滑剤も消耗するから、結局、ワイヤ部の進退がスムーズに働かなくなり、Ｏリングも磨耗してしまう。また、樹脂材料は成型時の熱収縮や使用時の僅かな応力によって歪みを生じやすく、この歪みによって生じた隙間から漏水を生じる場合もある。これらの問題を解決するために、排水器本体部を金属製とすると、原料費が樹脂製に比べ高価となり、更に加工にも技術を要するなどの問題が生じる。特に枝管内のような管の内面は、表面を滑らかにする研磨作業が難しく、止水性を確保できるほどの精度を確保することは極めて困難である。このように、図５に示した、昇降部材を用いる排水器の遠隔操作式弁開閉装置は、止水性や耐久性・操作性に著しく問題があった。
本発明は上記課題を解決するために発明されたものである。
【０００８】
【課題を解決するための手段】
請求項１に記載の排水器の遠隔操作式弁開閉装置は、排水口（２）及び昇降部材滑動部（３）を備えた排水器本体部（１）と、上記排水口（２）を開閉する弁体（４）と、ワイヤ部（５ａ）及び該ワイヤ部（５ａ）を進退自在な状態にて包囲した鞘管（５ｂ）から成るレリースワイヤ（５）と、該レリースワイヤ（５）の一方の端部に連結した、レリースワイヤ（５）のワイヤ部（５ａ）の進退を操作するスイッチ部（６）と、該レリースワイヤ（５）の他方の端部に連結され、排水器本体部（１）の昇降部材滑動部（３）内を上記レリースワイヤ（５）のワイヤ部（５ａ）に連動して自在に進退するとともに、上記弁体（４）に当接して該弁体（４）を昇降する昇降部材（７）と、から構成した排水器の遠隔操作装置において、昇降部材（７）の進退方向に伸縮する筒状部（８ａ）と、該筒状部（８ａ）の一方の端部に、周縁に沿って凸部を設けて成る第一密閉片（８ｂ）と、該筒状部（８ａ）の他方の端部に、周縁に沿って凸部を設けて成る第二密閉片（８ｃ）と、から構成した、防水性と柔軟性に優れた材質にて成る止水部材（８）を、第一密閉片（８ｂ）を上記昇降部材（７）に、第二密閉片（８ｃ）を上記排水器本体部（１）の昇降部材滑動部（３）に、昇降部材（７）の作動を妨害しない状態にてそれぞれ水密的に嵌着して構成した排水器の遠隔操作式弁開閉装置である。
【０００９】
請求項２に記載の排水器の遠隔操作式弁開閉装置は、上記止水部材（８）の筒状部（８ａ）を蛇腹状にて構成した請求項１に記載の排水器の遠隔操作式弁開閉装置である。
【００１０】
【発明の実施の形態】
以下に発明の実施例に付いて図面を参照しながら説明する。
【００１１】
図１から図４に示した本発明の実施例は以下のように構成してなる。排水器本体部（１）は排水口（２）を備え、また昇降部材滑動部（３）として筒状の枝管（３ａ）と、該枝管（３ａ）の端部を閉塞する閉管部材（１０）を備える。また、上記排水口（２）には排水口（２）を開閉する、下方に軸部（４ａ）を設けた弁体（４）を備えて成る。また、ワイヤ部（５ａ）及び該ワイヤ部（５ａ）を進退自在な状態にて包囲した鞘管（５ｂ）から成るレリースワイヤ（５）と、該レリースワイヤ（５）を一方の端部に連結した、レリースワイヤ（５）のワイヤ部（５ａ）の進退を操作するスイッチ部（６）を備え、更に、該レリースワイヤ（５）の他方の端部に凹凸部（５ｃ）を設けると共に、該凹凸部（５ｃ）に嵌合し、排水器本体部（１）の枝管（３ａ）内を上記レリースワイヤ（５）のワイヤ部（５ａ）に連動して自在に進退する昇降部材（７）を備える。また、該昇降部材（７）には、上記弁体（４）の軸部（４ａ）下端に当接して該弁体（４）を昇降する先端部（７ａ）が回動自在に軸着されて成る。更に、昇降部材（７）の進退方向に伸縮する、蛇腹形状に形成した筒状部（８ａ）と、筒状部（８ａ）の一方の端部の内周側縁に、内周縁に沿って凸部を設けて成る第一密閉片（８ｂ）と、該筒状部の他方の端部の外周側面に、外周縁に沿って凸部を設けて成る第二密閉片（８ｃ）と、から構成した、防水性と柔軟性に優れた材質にて成る止水部材（８）を、第一密閉片（８ｂ）は上記昇降部材（７）に、第二密閉片（８ｃ）は上記排水器本体部（１）の枝管（３ａ）の端部に、昇降部材（７）の作動を妨害しない状態にて、それぞれ水密的に嵌着して構成して成る。
【００１２】
上記の様に構成した排水器の遠隔操作式弁開閉装置を使用する場合は、排水器本体部（１）及びスイッチ部（６）を洗面ボウル（Ｗ）等に取着した後、スイッチ部（６）を操作して、図１に示したように、排水器の排水口（２）を弁体（４）にて閉口した状態とする。この状態よりスイッチ部（６）を操作してワイヤ部（５ａ）を後退させると、昇降部材（７）は後退し、先端部（７ａ）が回動して、これに当接する弁体（４）の軸部（４ａ）を押し上げ、排水器の排水口（２）が開口する。更に、この状態より再びスイッチ部（６）を操作してワイヤ部（５ａ）を前進させると、昇降部材（７）は前進し、先端部（７ａ）が回動して、これに当接する弁体（４）の軸部（４ａ）と共に下降するため、図２にあるように排水器の排水口（２）が閉口する。これらの操作の間、止水部材（８）は、第一密閉片（８ｂ）は昇降部材（７）に、第二密閉片（８ｃ）は閉管部材（１０）に押圧された状態で枝管（３ａ）の端部に、それぞれ水密的に嵌着した状態を保ちつつ、図３及び図４に示したように、昇降部材（７）の進退に伴って蛇腹状とした筒状部（８ａ）が伸縮するため、結果、枝管（３ａ）内面と特に摩擦を生じることなく、排水器の止水状態を維持し続けることができる。
【００１３】
本発明の実施例は上記のようであるが、本発明は上記実施例に限定されるものではなく、本発明の要旨を逸脱しない範囲で様々な変更が可能である。
【００１４】
【発明の効果】
本発明は上記の様に構成したため、以下のような優れた効果を奏する。
【００１５】
本発明による排水器の遠隔操作式弁開閉装置を採用した排水器は、昇降部材が進退を行っても、止水部材が排水器本体部や枝管内面と積極的に摩擦することがないため、Ｏリングを採用した排水器の遠隔操作式弁開閉装置と違って、潤滑材の塗布を行う必要がなく、且つ昇降部材の進退動作がスムーズであり、しかも摩擦による劣化が無いので、長期間に渡って良好な止水性と操作性を保つことができる。更に、止水部材と、昇降部材または排水器本体部の嵌着箇所は終始固定されているため、必要な止水性能を得るために各密閉片の嵌着の強さを強くしたり、あるいは密閉片の厚み・形状を必要に応じて自由に変更できるなど、大変、応用範囲が広く便利である。
【図面の簡単な説明】
【図１】  本発明の実施例の、排水口が閉口した状態を示す断面図である。
【図２】  本発明の実施例の、排水口が開口した状態を示す断面図である。
【図３】  実施例にある止水部材の、図１での状態を示す、一部切欠した斜視図である。
【図４】  実施例にある止水部材の、図２での状態を示す、一部切欠した斜視図である。
【図５】  従来の遠隔操作式弁開閉装置を採用した排水器の例である。
【符号の説明】
１    排水器本体部
２    排水口
３    昇降部材滑動部
３ａ  枝管
４    弁体
４ａ  弁軸
５    レリースワイヤ
５ａ  ワイヤ部
５ｂ  鞘管
５ｃ  凹凸部
６    スイッチ部
７    昇降部材
７ａ  先端部
８    止水部材
８ａ  筒状部
８ｂ  第一密閉片
８ｃ  第二密閉片
９    Ｏリング
１０  閉管部材
Ｗ    洗面ボウル
【図１】
0004154505.tif 000002
【図２】
0004154505.tif 000003
【図３】
0004154505.tif 000004
【図４】
0004154505.tif 000005
【図５】
0004154505.tif 000006